(57)【要約】  【課題】  【解決手段】血管に連通する穿刺をシーリングする装置であって、フィラメントまたはその他の保持部材の一方の端部に固定された生体吸収性シーリング部材を具える。前記シーリング部材は、前記穿刺を介して血管内に送出され、一時的な血流遮断を提供するために血管壁に対向して保持される。シーリング部材は、血管内で、例えば水性または加熱された生理学的環境に晒された後（例えば、血液または体温に晒された後）に、すぐにあるいは、穿刺を介して医療手順を完了した少し後に、例えば、患者が移動している期間内に、急速に吸収される。【選択図】図１
2008511394.tif 000002
【特許請求の範囲】
【請求項１】
組織を通って身体ルーメンへ延在する穿刺をシーリングするデバイスにおいて：
近位端と、前記穿刺を通って方向付けるのに十分に小さい遠位端を具える細長保持部材と；
前記保持部材の遠位端に設けたシーリング部材であって、前記身体ルーメン内で水性生理学的環境に晒されて約２４時間以内に実質的に吸収される生体吸収性材料を具えるシーリング部材と；
を具えることを特徴とするデバイス。
【請求項２】
請求項１に記載のデバイスにおいて、前記シーリング部材が前記身体ルーメン内に晒されて約１２時間以内に実質的に吸収されることを特徴とするデバイス。
【請求項３】
請求項１に記載のデバイスにおいて、前記シーリング部材が、前記身体ルーメン内に晒されて約３時間以内に実質的に吸収されることを特徴とするデバイス。
【請求項４】
請求項１に記載のデバイスにおいて、前記シーリング部材が、前記身体ルーメン内に晒されて約１時間以内に実質的に吸収されることを特徴とするデバイス。
【請求項５】
請求項１ないし４のいずれか１項に記載のデバイスにおいて、前記保持部材が生体吸収性材料を具えることを特徴とするデバイス。
【請求項６】
請求項５に記載のデバイスにおいて、前記保持部材が前記身体ルーメン内に晒されて少なくとも約２４時間後に実質的に吸収されることを特徴とするデバイス。
【請求項７】
請求項１ないし４のいずれか１項に記載のデバイスにおいて、前記保持部材が非生体吸収性材料を具え、前記保持部材の外側表面に潤滑材料を具えることを特徴とするデバイス。
【請求項８】
請求項１ないし７のいずれか１項に記載のデバイスにおいて、前記シーリング部材が炭水化物と塩のうちの少なくとも一方を具えることを特徴とするデバイス。
【請求項９】
請求項１ないし８のいずれか１項に記載のデバイスにおいて、前記シーリング部材が一般的な平坦で拡大された状態から、収縮した状態に圧縮可能であり、前記身体ルーメンの穿刺を介した前記シーリング部材の送出を容易にすることを特徴とするデバイス。
【請求項１０】
請求項９に記載のデバイスにおいて、前記シーリング部材は、前記身体ルーメン内で開放されたときに前記拡大された状態をとるようにバイアスされており、当該拡大された状態が、前記シーリング部材が前記身体ルーメンから前記穿刺内に引き出されないようにする断面を規定していることを特徴とするデバイス。
【請求項１１】
組織を通って血管に延在する穿刺をシーリングする装置において：
近位端と、前記穿刺内に挿入するサイズと形状を有する遠位端と、前記近位及び遠位端間に延在するルーメンを具える筒状部材と；
シーリング部材と細長保持部材を具える閉塞デバイスであって、前記シーリング部材が前記筒状部材のルーメン内に配置された第１の生体吸収性材料から形成されており、前記保持部材が前記ルーメンから前記筒状部材の近位端へと近位側に延在する近位端と、前記シーリング部材に連結された遠位端とを具える閉塞デバイスと；
前記保持部材周辺の前記穿刺に送出可能な脈管外シーリング材料であって、水性生理学的環境に晒されたときに前記第１の生体吸収性材料より遅い速度で吸収される第２の生体吸収性材料を具える脈管外シーリング材料と；
を具えることを特徴とする装置。
【請求項１２】
請求項１１に記載の装置において、前記第１の生体吸収性材料が、前記身体ルーメン内で水性生理学的環境に晒されて２４時間以内に実質的に吸収されることを特徴とする装置。
【請求項１３】
請求項１１又は１２に記載の装置において、前記保持部材が、水性生理学的環境に晒されたときに前記第１の生体吸収性材料より遅い速度で吸収される第３の生体吸収性材料を具えることを特徴とする装置。
【請求項１４】
請求項１３に記載の装置において、前記第３の生体吸収性材料が、前記身体ルーメン内に晒されて少なくとも約２４時間後に実質的に吸収されることを特徴とする装置。
【請求項１５】
請求項１１に記載の装置において、前記保持部材が、非生体吸収性材料と、前記保持部材の外側表面に設けた潤滑材料を具え、前記脈管外シーリング材料を通る前記保持部材の除去を容易にすることを特徴とする装置。
【請求項１６】
請求項１１ないし１５のいずれか１項に記載の装置において、前記シーリング部材が、前記身体ルーメン内で水性生理学的環境に晒されて約２４時間以内に実質的に吸収される炭水化物と塩のいずれか一方を少なくとも具えることを特徴とする装置。
【請求項１７】
請求項１１ないし１６のいずれか１項に記載の装置において、前記シーリング部材が一般的な平坦で拡大された状態から、収縮した状態に圧縮可能であり、前記シーリング部材の前記筒状部材への装填を容易にすることを特徴とする装置。
【請求項１８】
請求項１１ないし１７のいずれか１項に記載の装置において、前記シーリング部材が、前記身体ルーメン内で開放されたときに前記拡大された状態をとるようにバイアスされており、当該拡大された状態が、前記シーリング部材が前記身体ルーメンから前記穿刺内に引き出されないようにする断面を規定していることを特徴とする装置。
【請求項１９】
請求項１１に記載の装置において、前記脈管外シーリング材料が、液状シーリング材料を具え、前記装置が更に、液状シーリング材料を前記穿刺内に送出するシリンジアッセンブリを具えることを特徴とする装置。
【請求項２０】
請求項１９に記載の装置において、前記筒状部材が前記筒状部材内でルーメンと連通する近位端にサイドポートを具え、当該サイドポートが前記シリンジアッセンブリに連通して、前記筒状部材の前記ルーメンを介して前記穿刺内に前記液状シーリング材料を送出することを特徴とする装置。
【請求項２１】
請求項１１に記載の装置において、前記脈管外材料が前記穿刺中に送出可能な固体プラグを具えることを特徴とする装置。
【請求項２２】
請求項１１に記載の装置が更に前記シーリング部材の近位側の前記筒状部材のルーメン内に配置された押し出し部材を具え、当該押し出し部材が前記筒状部材に対して軸方向に摺動可能であり、前記シーリング部材が前記筒状部材の遠位端を越えて前記ルーメンから展開することを特徴とする装置。
【発明の詳細な説明】
【技術分野】
【０００１】
発明の属する技術分野
本発明は、一般的に身体内の穿刺を密封する装置に関し、特に、患者の皮膚から血管またはその他の身体ルーメン内へ延在する穿刺内に高速で溶解するシーリングデバイスを送出して、一時的に血流を遮断する装置に関する。
【０００２】
発明の背景
例えば、血管系内である手順を実行するために患者の血管系に経皮的にアクセスして、この手順が終了した後に生じる穿刺をシーリングする装置が知られている。例えば、中空状の針を患者の皮膚とその上の組織を通して血管に差し込むようにしてもよい。この針のルーメンを介してガイドワイヤを血管内に通し、針を除去するようにしてもよい。次いで導入針のシースを、例えば一またはそれ以上の拡張器と共に、またはこの拡張器に続けて、ガイドワイヤの上を血管まで進めることができる。
【０００３】
カテーテルまたはその他のデバイスを、導入針のシースを介してガイドワイヤを通してある位置へ進めて、医療手順を実行することができる。このように、導入針のシースは、さまざまなデバイスを血管へ容易に導入することができる一方で、血管壁への損傷を最小限に抑え、及び／又は、失血を最小にする。この手順が完了すると、デバイスと導入針のシースが除去され、皮膚と血管壁の間に延在する穿刺が残る。
【０００４】
この穿刺をシールするために、上の組織に、例えば手動で及び／又はサンドバッグを用いて、血流遮断が生じるまで外圧をかけることがある。しかしながら、この手順は、時間がかかり、高価であり、医療専門家の時間にして１時間ほどが必要である。また、患者にとっては不快であり、患者は手術室、カテーテルラボ、あるいは待機場所で動かずにいることを要求される。さらに、血流遮断が生じる前の出血による血腫のリスクがある。
【０００５】
外圧を用いる代わりに経皮穿刺をシーリングするさまざまな装置が提言されている。例えば、Fowler に付与された米国特許第５，１０８，４２１号は、組織を介して穿刺内に送出できるプラグを開示している。一の実施例では、この穿刺を通ってカテーテルを血管内に挿入している。カテーテルに設けたバルーンは、バルーンが血管壁中で穿刺の近傍に位置するまで膨張して引き出される。プラグは、プラグがバルーンに接触するまで穿刺内に進められる。プラグが穿刺内に位置すると、バルーンがしぼんで取り出され、プラグが穿刺内に残って拡大し、穿刺をシーリングする、及び／又は血流遮断を促進する。
【０００６】
代替的に、Kensey et al.に付与された米国特許第５，２２２，９７４号は、動脈中の経皮穿刺をシーリングするシステムを開示している。このシステムは、再吸収可能なプラグを具えるシーリング部材と、硬い再吸収可能なアンカ部材と、フィラメントの形状をした再吸収可能な位置決め部材とを具える。ここに開示されているシーリング部材は、例えば、６０乃至９０日以内に完全に再吸収するように設計されている。
【０００７】
Ginn et al.に付与された米国特許第６，６６３，６５５号は、組織を通る経路をシーリングするツーピースプラグデバイスを開示している。このデバイスは、プラグ部材と、このプラグ部材のルーメン内に配置したシーリング部材を具える。このデバイスは、穿刺に連通する血管に近位の穿刺内に送出される。このプラグ部材と、シーリング部材は、生体吸収性材料でできており、両部品が吸収されるまで身体内に残る。
【０００８】
Muijs Van de Moer et al.に付与された米国特許第５，９１６，２３６号は、糸の一端に取り付けたフレキシブルシートと、当該シート方向に前記糸に沿って摺動可能な保持リングを具える閉塞アッセンブリを開示している。このシートは折り畳まれており、穿刺を通ってシースを介して血管に送出され、血管内で広げられる。糸は、シートが血管壁の方向に引っ張られ、保持リングが糸へ降りていって、シートを血管壁に固定する。このシート、糸、および保持リングは生体吸収性材料でできており、数週間後に消失する。
【０００９】
Kenseyに付与された米国特許第４，８９０，６１２号は、保持部材またはトグル、フィラメント、および、それぞれ、約４５日、９０日、及び１０日で吸収される生体吸収性材料でできた円柱状プラグを含む３つの構成部品からなる閉塞デバイスを開示している。この閉塞デバイスは、穿刺を通ってシースを介して血管に送出され、送出時にフィラメントが引き出されて、穿刺内のプラグと共に血管の壁に対向してトグルを引っ張る。この閉塞デバイスは、患者の身体に吸収されるまでその場所に残っている。
【００１０】
これらの閉塞デバイスの不利益の一つは、これらのデバイスを血管に対して正しく配置することが困難なことである。これは、下流側に浮遊して、血腫を引き起こす血流にコラーゲン材料を晒すことが一般的に所望されないので、有意である。さらに、これらの閉塞デバイスは、身体内で再吸収する及び／又は溶解するのに比較的長時間かかる（例えば、１０日間、またはそれ以上）。これは、閉塞デバイスの一片が取れて、穿刺の下流側に血腫またはその他のダメージを引き起こすリスクがあるため、血管内に配置するデバイス部分として特に好ましくない。
【００１１】
閉塞デバイスのこの部分に非コラーゲン材料を使用したとしても、デバイスの脈管内部分が血管内に存在する時間を最小限に抑えることが望ましい。もちろん、デバイスがあまり急速に吸収されると、血腫あるいはその他の合併症のリスクはないが、穿刺の効果的な血流遮断に逆に作用するであろう。
【００１２】
発明の概要
本発明は、組織を通って、例えば血管またはその他の身体ルーメンへ延在する穿刺内で、一時的にあるいは永久的に血流遮断を行う装置、及び／又は、穿刺を介して手順を完了する間または完了後すぐにほぼ吸収される脈管内成分を具える、血管またはその他の身体ルーメンへの経皮的穿刺を通してシーリングデバイスを送出する装置及び方法に関する。
【００１３】
一の実施例によれば、身体ルーメン内に組織を介して延在する穿刺をシーリングするデバイスが、フィラメントまたはその他の細長部材と、当該細長部材の遠位端上に設けた、生体吸収性材料で形成したシーリング部材であって、例えば、血液または身体ルーメン内のその他の液体など、水性生理学的環境にさらされると約２４時間以内に身体にほぼ吸収される材料で形成したシーリング部材と、を具える。別の実施例では、前記シーリング部材は、身体ルーメン内の水性生理学的環境に晒されて、約１２時間、３時間、１時間以内、あるいは約３０分以内にほぼ吸収される。保持部材は、生体吸収性材料、または非生体吸収性材料で形成することができる。選択的に、このデバイスは、例えば、プラグ、液状シーリング材料の塊、などの、細長部材の周囲の穿刺内に送出可能な脈管外シーリング材料を具えていても良い。
【００１４】
別の実施例では、組織を通って身体ルーメンへ延在する穿刺をシーリングするデバイスが、第１の材料でできたフィラメントまたはその他の細長部材と、当該細長部材の遠位端に設けた第２の生体吸収性材料でできたシーリング部材と、第３の生体吸収性材料でできた脈管外シーリング材料とを具え、この脈管外シーリング材料が、前記細長部材の周囲の穿刺内に送出可能である。一の実施例では、第２の生体吸収性材料が、例えば、血液あるいは身体ルーメンからのその他の液体といった、水性生理学的環境に晒されたときに第３の生体吸収性材料に比較してより早い速度で吸収される。選択的に、第１の材料も、例えば、水性生理学的環境に晒されたときに、第２の生体吸収性材料に比較してより遅い速度で吸収される生体吸収性材料である。
【００１５】
図に示す実施例の詳細な説明
図面を参照すると、図１は、閉塞デバイス２と、この閉塞デバイス２を使用して組織を通って延在する穿刺の一時的または永久的な血流遮断を容易にする装置１の例示的な実施例を示す。一般的に、装置１は、送出シース２０と、この送出シース２０から閉塞デバイス２を展開させるプランジャ、カテーテル、またはその他の押し出し部材３０を具える。選択的に、装置１は、後述するように、例えば、送出シース２０を介して送出することができるシーリング材料源４０を具えていても良い。
【００１６】
閉塞デバイス２は、一般的に、近位端１２ａと遠位端１２ｂ、および遠位端１２ｂ上に設けた生体吸収性シーリング部材１０を具える、フィラメントまたはその他の保持部材１２を具える。フィラメント１２は、中実または中空の細長本体であり、例えば、縫合糸、紐、ワイヤ、チューブなどで、約０．９ｍｍ以下の径、厚さ、あるいはその他の断面寸法を有する。一の実施例では、フィラメント１２は、例えば、ポリ（グリコール酸／乳酸共重合体）（poly(glycolic-co-lactic)acid）、ポリ（グリコール酸）などでできた、生体吸収性縫合糸である。この実施例では、保持部材１２は、シーリング部材１０に比べてより長い期間で吸収される材料からできていても良い。例えば、フィラメント１２は、水性環境に晒された後、少なくとも約２４時間の間で吸収され、完全に吸収されるまでには、何日、何週間、あるいは何ヶ月もかかることがある。代替的に、フィラメント１２を、ナイロン、テフロン、腸線、絹、ポリプロピレン、などの生体適合性のある、非生体吸収性材料で形成することができる。
【００１７】
フィラメント１２は、実質的にフレキシブルである、すなわち、コラム強度（column strength）がほんのわずかであるか、まったくない。代替的に、フィラメント１２が十分なカラム強度を有しており、後述するように、シーリング部材１０を担持している遠位端１２ｂが、フィラメント１２の近位端１２ａを押すことによって、例えば送出シース２０から遠位側へ進めるようにしても良い。フィラメント１２は、例えば、フィラメント１２を破壊する及び／又はシーリング部材１０から分離することなく穿刺を血管から十分にシールするために、シーリング部材１０を穿刺を通して血管またはその他の身体ルーメンに対して引っ張ることができるように、十分な引っ張り強度を有していなければならない。
【００１８】
選択的に、特にフィラメント１２が生体吸収性でない場合、例えば、後述するように、フィラメント１２周囲のシーリング材料で穿刺が少なくとも部分的に充填された後に、穿刺を通してフィラメント１２を容易に引き抜けるようにするために、潤滑被覆剤またはその他の材料をフィラメント１２の外側表面が、具えていても良い。
【００１９】
図に示すように、例えば、シーリング部材１０の中央または中間点、あるいはその付近などのフィラメント１２の遠位端１２ｂの固定位置またはトグル位置１６で、シーリング部材１０が固定されている。フィラメント１２は、少なくとも部分的にシーリング部材１０内の固定位置１６に埋め込まれている、及び／又は、この周辺に少なくとも部分的に延在しており、シーリング部材１０が遠位端１２ｂに固定されている。例えば、遠位端１２ｂは、シーリング部材１０の一部の周辺に固定することができる、及び／又は、一またはそれ以上の開口（図示せず）を通してシーリング部材１０中に延在することができるループ（図示せず）を具えていてもよい。追加で、あるいは、代替的に、シーリング部材１０に遠位端１２ｂを取り付けるのに、接着剤またはその他の材料（図示せず）を使用しても良い。
【００２０】
シーリング部材１０は、例えば、その幅、径、またはその他の外寸より実質的に小さい厚さまたはその他の内寸を有する面を一般的に規定している本体である。例えば、図に示すように、シーリング部材１０は、一般的に円形、矩形、多角形、あるいは面内のその他の一般的な形状を有するディスク形状であり、上側及び下側表面１０ａ、１０ｂを規定する。一般的な上側および下側表面１０ａ、１０ｂは、実質的に平坦、凹、及び／又は凸（図示せず）である。
【００２１】
シーリング部材１０は、迅速に吸収する生体適合性材料で形成されている。ここで用いている「迅速に吸収する」とは、例えば２４時間以内といった比較的短い時間内に、例えば、水性生理学的環境に晒されると、何らかの物理的プロセス（例えば、溶解、溶融、など）によって吸収される材料を意味する。水性生理学的環境の例は、血管またはその他の器官内部など、血液またはその他の体液に晒された患者の身体内の位置である。
【００２２】
その他の実施例では、シーリング部材１０は、水性生理学的環境にさらすと約１２時間以内に、約３時間以内に、約１時間以内に、または、約３０分以下の時間内に、ほぼ吸収されるものでもよい。この点に関して、シーリングデバイス２の脈管内外観、すなわち、シーリング部材１０が、患者が移動する前、すなわち、穿刺を介して実行される手順の間に、あるいはこの手順の後直ちに、ほぼ吸収される。このようにシーリング部材１０が無傷で患者の身体内に残る時間を、患者の身体に何日、何週間、何ヶ月もかけて吸収される公知の閉塞デバイスに比べて最小限に抑えられる。
【００２３】
シーリング部材１０の例示的材料は、例えば、血液またはその他の体液といった水性環境の存在下で、急速に溶解する炭水化物（糖）または塩ベースの材料である。追加で、あるいは代替的に、シーリング部材１０は、例えば、約３７℃以上の温度に晒されたときなど、患者の身体内で、上昇した温度によって迅速に溶融する材料で形成することができる。
【００２４】
一の実施例では、シーリング部材１０を、予めシーリング部材１０が血管壁または穿刺へのその他の身体ルーメン（図示せず）を通る動脈切開またはその他の開口を通って容易に引っ張られないようにする形状に、作っておいても良い。さらに、シーリング部材１０の形状は、例えば、一時的に血流を遮断するなど、このような穿刺を血管から実質的にシーリングする目的である。選択的に、シーリング部材１０は、シーリング部材１０が一旦展開したら、動脈切開またはその他の開口を通って動かないようにする目的をもつ構造的特徴（例えば、シーリング面、などの形をした構造的強化要素、図示せず）を具えていても良い。
【００２５】
シーリング部材１０は、実質的に剛性である、すなわち、細長フット、プレート、シート、一般的なディスク形状、またはその他の形状といったように、形状が固定されている。代替的に、シーリング部材１０は、半剛性、すなわち、例えば、血管壁に対向しているときに、血管壁またはその他の身体ルーメンに合致した湾曲形状を取って、シーリング部材１０の形状は少なくとも部分的に接触している生体構造に合致するようにしてもよい。
【００２６】
更なる代替では、シーリング部材１０は、例えば、送出シース２０内への装填を容易にするために、収縮した状態に変形可能であり、例えば、送出シース２０から展開するとき、及び／又は、外部応力がかからなくなるときに、一般的なディスク形状といった拡大された状態に拡張可能なように、実質的にフレキシブルであっても良い。例えば、シーリング部材１０は、一般的な筒型形状に巻かれており、送出シース２０への装填を容易にしても良く、圧縮しても良く、あるいは、より低いプロファイルの収縮状態、その他にたわませるようにしても良い。
【００２７】
続けて図１を参照すると、送出シース２０は、実質的に剛性、半剛性及び／又はフレキシブルな筒状本体であり、近位端２２と、穿刺内への挿入用のサイズと形状を有する遠位端２４と、近位端と遠位端間に延在するルーメン２６とを有する。遠位端２４は、穿刺を通って容易に前進するために、テーパ状であっても良く、及び／又は、実質的に非外傷性先端２８を具えていても良い。送出シース２０は、ハンドル（図示せず）、及び／又は、例えば、血流遮断シール（図示せず）などの一またはそれ以上のシールを近位端２２に具えていても良い。閉塞デバイス２は、送出シース２０によって搬送され、シーリング部材１０が遠位端２４のルーメン２６内近位側に配置される。ルーメン２６は、以下により詳細に説明するように、例えば、送出する間に送出シース２０から遠位側に移動できるように、プラグデバイス２がルーメン内で摺動可能であるようなサイズを有する。選択的に、送出シース２０は、潤滑被覆剤、またはその他の材料（図示せず）を具えており、例えば、展開する間にシーリング部材１０がルーメン２６に沿って容易に摺動できるようにしても良い。
【００２８】
押し出し部材３０は、例えば、プランジャ、カテーテル、その他の細長部材であり、近位端３２および、送出シース２０のルーメン２６内へ摺動可能に挿入する、及び／又は、送出シース２０のルーメン２６内を移動するサイズを有する遠位端３４を具えている。押し出し部材３０の遠位端３４は、以下により詳細に説明するように、実質的に平滑であるか、収縮、及び／又は、送出シース２０内へのシーリング部材１０の押し出しを容易にする形状をしている。押し出し部材３０は、実質的に剛性、半剛性、及び／又は、実質的にフレキシブルであり、送出シース２０を湾曲させることなくシーリング部材１０に対して移動させるのに十分なコラム強度を有する。押し出し部材３０も、例えば、閉塞デバイス２のフィラメント１２、及び／又は、これを通るガイドワイヤ（図示せず）を収納するために、近位端と遠位端３４の間に延在するルーメン３６を有する。
【００２９】
選択的に、図１に示すように、装置１は、例えば、シリンジアッセンブリ４０などのシーリング材料源を具えており、例えば、脈管内シーリング部材１０に加えて、脈管外シーリング部品を提供するために、液状ヒドロゲル前駆体、又はその他のシーリング材料９９を穿刺内に送出するようにしてもよい。一の実施例では、シリンジアッセンブリ４０は、一対のシリンジ４２を具え、このシリンジ４２は内部にシーリング化合物でできた二つの成分と、シリンジ４２の出口４６に連結された「Ｙ」型フィッティングと、この「Ｙ」型フィッティング４４と送出シース２０の近位端２２に設けたサイドポート２３との間を連結可能なチューブ５２を具える。プランジャアッセンブリ４８は、シリンジ４２内へ摺動可能であり、その中の成分を出口４６を介して送出する。
【００３０】
一の実施例では、プランジャアッセンブリ４８は一対のプランジャ５０を具え、このプランジャは各シリンジ４２内で受ける更に別のプランジャに連結されている。従って、両プランジャ５０は、手動でほぼ同時に押されて、シリンジ４２内の成分を共に送出する。代替的に、米国特許出願公開第２００４−０２６７３０８に開示されているように、自動注入デバイスを設けて、シリンジ４２から成分を送出するようにしても良い。
【００３１】
一の実施例では、液状前駆体ポリマ化合物をシリンジアッセンブリ４０の各シリンジ４２内に設けており、これを混合すると活性化して、ポリ（エチレングリコール）ベース（ＰＥＧ）の多成分ヒドロゲルなどの、ヒドロゲル形状になる。ヒドロゲルに関する追加情報および、ヒドロゲルを送出するシステムは、米国特許第６，１５２，９４３号、第６，１６５，２０１号、第６，１７９，８６２号、第６，５１４，５３４号、第６，３７９，３７３号、及び第６，７０３，０４７号、及び、特許出願公開第２００２−０１０６４０９号、第２００３−００１２７３４号、及び第２００２−０１１４７７５号に記載されている。
【００３２】
図４に示すように、脈管外シーリング材料９９をフィラメント１２の周囲の穿刺９０内に送出することができる。フィラメント１２が生体吸収性であれば、以下に更に述べるとおり、例えば、血管壁９４に対するシーリング部材１０の固定を強化するために、シーリング材料９９を、フィラメント１２に少なくとも部分的に接着することができる。代替的に、フィラメント１２を除去する必要がある場合は、フィラメント１２の外側表面に潤滑被覆剤またはその他のコーティングを設けて、シーリング材料９９を通ってフィラメント１２を容易に引っ張ることができるようにしても良い。
【００３３】
シーリング材料９９は、その他の生体吸収性及び／又は生体適合性材料で作ることができる。フィラメント１２と同様に、シーリング材料９９は、シーリング部材１０に比べてより長い時間をかけて吸収される。例示的な実施例では、シーリング材料９９は、水性環境に晒された後、約２４時間以上の時間、例えば、約７ないし１４日以上の時間で吸収される。
【００３４】
例えば、シーリング材料９９は、コラーゲン、フィブリン、カルボキシメチルセルロース、酸化セルロース、アルギン酸、ゼラチン、あるいはその他のたんぱく質ベースの材料などの生物学的物質、及び／又は、ポリグリコール酸（ＰＧＡ’ｓ）、ポリ乳酸（ＰＬＡ’ｓ）、などの合成物質で形成することができる。シーリング材料９９は、プラグ、その他などの、識別可能な構造に形成することができる。
【００３５】
図２Ａ−Ｃを参照すると、組織９６を通って、血管またはその他の身体ルーメン９４へ延在する穿刺９０内にシーリングデバイス２を送出するための例示的手順が示されている。一般的に、穿刺９０は、患者の皮膚９２から、中間組織９６を介して、例えば、身体ルーメン９４へ延在しており、これが説明の目的で示されている。例示的実施例では、穿刺９０は、経皮的穿刺であり、大腿動脈、頚動脈などの血管９４に連通している。
【００３６】
穿刺９０は、例えば、針、ガイドワイヤ、一またはそれ以上の拡張器、その他（図示せず）の、公知の手順を用いて作ることができる。導入針シース（図示せず）を、穿刺９０を介して血管９４内に進めて、この分野では公知であるように、例えば、一又はそれ以上の器具用に血管９０へのアクセスを提供したり、及び／又は、一又はそれ以上の診断及び／又は介入性手順を血管９０内で実行できるようにする。血管９４を介してこの手順が完了したら、器具及び／又は導入針シース（図示せず）を穿刺９０から除去する。
【００３７】
図２Ａを参照すると、装置１の実施例が示されており、ここでは、閉塞デバイス２のシーリング部材１０が送出シース２０のルーメン２６内へ収縮した状態で装填されている。図２Ａでは、押し出し部材３０（上述されており、図１に示されている）は、便宜上割愛されている。図に示すように、シーリング部材１０は、内側に折りたたまれてシーリング部材のプロファイルを低減する外側エッジを有しており、この外側エッジは、送出シース２０内で拘束されている。押し出し部材３０は、遠位端３４を伴ってシーリング部材１０に近接してルーメン２６内に配置されている。装置１は、穿刺９０内に挿入されて、送出シース２０の遠位端２４が血管９４近傍に配置されるまで、あるいはむしろ血管９４に入るまで遠位側に進む。
【００３８】
図２Ｂを参照すると、例えば、送出シース２０を遠位端２４を伴って血管９０内で実質的に静止させたままで、押し出し部材３０が遠位側に進み、血管９４内でシーリング部材１０を展開させる。図に示すように、シーリング部材１０は送出シース２０の遠位端２４から出るときに、シーリング部材１０は収縮した状態から、例えば一般的な平たいディスク、プレート、シート、またはその他の弛緩した状態の形状である、拡大した状態に弾性的に戻る。
【００３９】
代替的に、フィラメント１２が近位端１２ａから押圧可能である場合（すなわち、十分なコラム強度を有している場合）、フィラメント１２の近位端１２ａが、送出シース２０内へ遠位側に向けられて、遠位端１２ｂとシーリング部材１０を送出シース２０の外へ出して血管９４内へ進める。この代替例では、押し出し部材３０を完全に削除することができる。更に、送出シース２０は、潤滑被覆剤またはその他の材料（図示せず）を具えていてもよく、シーリング部材１０を送出シース２０の遠位端２４の外へ容易に摺動させることができる。
【００４０】
図２Ｃを参照すると、次いで、フィラメント１２が、閉塞デバイス２を引き出して、例えば、シーリング部材１０を血管９４の壁に接触させるまで、穿刺９０を介して少なくとも部分的に近位側に後退させる。例えば、シーリング部材１０が展開する前あるいは展開している最中に遠位端２４が血管９４内に進む場合は、送出シース２０も少なくとも部分的に後退させるようにしてもよい。
【００４１】
図３Ａおよび３Ｂを参照すると、別の実施例において、閉塞デバイス２’は、フィラメントの遠位端１２ｂ’に取り付けたシーリング部材１０’、またはその他の保持部材１２’を具えており、トグルタイプのデバイスを提供している。この実施例では、フィラメント１２’は、例えば、シーリング部材１０’の中央あるいは中心に配置した固定位置１６’においてシーリング部材１０’に固定されている。シーリング部材１０’は、その縦軸または外寸が、図３Ａに示すように、送出シース２０のルーメン２６内に軸方向に配置されるように、送出シース２０内に配置されている。
【００４２】
トグルタイプのシーリング部材１０’は、送出シース２０から及び／又は血管９４内に展開するときに、シーリング部材１０がそれ自体を血管９４内で、その縦軸または横方向の外寸を用いて、すなわち、図３Ｂに示すように、血管９４の長さに沿って、送出シース２０の縦軸に方向付けることができる。次いで、フィラメント１２’を穿刺９０から近位側に引っ張ることによって、シーリング部材１０’は、血管９４の壁に対向して方向付けられる。シーリング部材１０’の幅または内寸は、血管９４の壁内の動脈切開またはその他の開口の幅より小さいが、シーリング部材１０’は、容易に血流を遮断することができる。例えば、シーリング部材１０’は、血管９４の壁を加圧することができ、及び／又は、開口を少なくとも部分的に閉塞して、血管９４から穿刺９０を実質的にシールすることができる。
【００４３】
図５を参照すると、一の実施例において、シーリング部材１０（又は、代替的に、図３Ｂのシーリング部材１０’などのもうひとつのシーリング部材）は、例えば、血管９４から穿刺９０を実質的にシールするために、血管９４の壁に対向して保持することができる。このように、シーリング部材１０は、血流遮断を強化し、血管９４内の血液またはその他の液体が穿刺９０内に漏れないようにしている。シーリング部材１０は、十分な時間経過後に穿刺９０周辺の組織９６に吸収され、例えば血液の凝固、またはその他の機構によって、少なくとも部分的に穿刺９０を閉塞する。
【００４４】
選択的に、穿刺９０上の患者の皮膚９２に外圧をかけて、血流遮断を更に強化することができる。加えて、あるいは代替的に、フィラメント１２の近位端１２ａを、例えばテーピング、ストラップ、接着、あるいは穿刺９０近傍の患者の皮膚９２へ近位端１２ａを固定させる、などで患者に対して固定するようにしても良い。近位端１２ａは、血管９４の壁に対向して正しい位置にシーリング部材１０を維持するのに十分な張力で、フィラメント１２を確実に維持するようにして、例えば、血管９４から穿刺９０を実質的にシールする位置に固定する。
【００４５】
代替的に、図６に示すように、送出デバイス２０を用いて、シーリング材料９９をシーリング部材１０の近位側の穿刺内に送出することができる。図１を参照して述べたように、送出シース２０はチューブ５２に連結されているサイドポート２３を具える。このチューブは、シリンジアッセンブリ４０に連結されている。サイドポート２３は、送出シース２０のルーメン２６と連通しており、シリンジ４２内の二つのヒドロゲル前駆体が出口４６から直接出てゆく場合に、この前駆体が「Ｙ」型フィッティング４４内で混合して、ヒドロゲル反応が開始し、チューブ５２、サイドポート２３、ルーメン２６を通過して、送出シース２０の遠位端２４から穿刺９０内に出てゆく。
【００４６】
選択的に、送出シース２０は、例えば穿刺９０を満たすために、シーリング材料９９を送出するときに近位側に引っ張るようにしても良い。代替的に、送出シース２０はサイドポートを具えておらず、別の注入シース（図示せず）を用いて、シーリング材料９９の送出に用いてもよい。この代替例では、送出シース２０をシーリング部材１０を送出した後に除去するようにしても良く、注入シースをフィラメント１２を介して穿刺９０へ進めて、シーリング材料を送出する。
【００４７】
別の代替例では、送出シース２０のルーメン２６へヒドロゲル前駆体混合物の注入し、ルーメン２０の外へシーリング部材１０を出す、すなわち、最初に血管９４へシーリング部材１０を展開させるようにしても良い。シーリング部材１０がこのようにして送出シース２０から血管９４へ押し出された後は、シーリング部材１０が血管９４の壁に対向して後退するまで、更なるヒドロゲル前駆体混合物の送出が途切れるようにしてもよい。
【００４８】
更なる代替例では、例えばルーメン３６を介して、押し出し部材３０を用いて、シーリング材料９９を穿刺内に送出することができる。
【００４９】
シーリング部材１０が、血管９４内で展開すると、例えば、血管９４内の血液に晒されるため、シーリング部材１０は、急速に吸収され始める。上記に説明したように、シーリング部材１０は、展開後約２４時間以下の時間で溶解する。一の実施例では、フィラメント材料は、例えば、患者の身体内に晒された後約２４時間以上のより長い期間が経ってから吸収されるが、フィラメント１２も生体吸収性材料で形成することができる。同様に、脈管外シーリング材料９９も、例えば、シーリング部材１０より実質的に遅い速度の生体吸収性材料であっても良い。
【００５０】
本発明の代替の実施例では、フィラメントが生体吸収性でない場合には、例えば、シーリング部材１０が溶解するのに十分な時間が経過した後、フィラメント１２を患者の身体から引き出すことによって、フィラメント１２を除去することができる。例えば、近位端１２ａが、患者の皮膚９２に固定されている場合は、開放して、脈管外シーリング材料９９を介して穿刺９０から引き出すことができる。従って、フィラメント１２は、血流遮断が実質的に確立されるまで、及び／又は、シーリング部材１０が実質的に吸収された後も、残る。この点に関して、フィラメント１２は、医療ファシリティから排出する前、あるいは順次の経過観察の間に、患者の異所移動時に除去することができる。この実施例では、フィラメント１２は、直径が十分に小さいか、その他の断面を有しており、それを除去した結果できた小さな路から出血したり、実質的に漏れがあったりしないようにする。出血または漏れは、例えば、短期間の圧縮、または圧縮バンド（図示せず）によって管理することができる。
【図面の簡単な説明】
【００５１】
【図１】図１は、組織を通って延在する穿刺の血流遮断を容易にする装置の一実施例の分解側面図である。
【図２】図２Ａないし２Ｃは、患者の身体の断面図であり、組織を通って血管へ延在する穿刺をシーリングする本発明にかかる装置の使用を示す。
【図３】図３Ａおよび３Ｂは、患者の身体の断面図であり、組織を通って血管へ延在する穿刺をシーリングする本発明に係る別の装置を示す。
【図４】図４は、患者の身体の断面図であり、脈管内および脈管外シーリング部材を具える組織を通って血管へ延在する穿刺をシーリングするシステムを示す。
【図５】図５は、患者の身体の断面図であり、組織を通って血管へ延在する穿刺をシーリングする本発明に係る更に別のデバイスを示す。
【図６】図６は、患者の身体の断面図であり、組織を通って血管へ延在する穿刺をシーリングする本発明に係る更に別の実施例を示す。
【図１】
2008511394.tif 000003
【図２Ａ】
2008511394.tif 000004
【図２Ｂ】
2008511394.tif 000005
【図２Ｃ】
2008511394.tif 000006
【図３Ａ】
2008511394.tif 000007
【図３Ｂ】
2008511394.tif 000008
【図４】
2008511394.tif 000009
【図５】
2008511394.tif 000010
【図６】
2008511394.tif 000011
【国際調査報告】
2008511394.tif 000012
2008511394.tif 000013
2008511394.tif 000014